(57)【要約】【課題】現在の無線通信の内容に応じて複数の無線通信の通信方式を切り替えることができる携帯端末装置および通信制御方法を提供する。【解決手段】本発明に係る携帯端末装置は、第１の通信方式としてのＢＴ規格に準拠した通信方式に従って無線通信を行う第１の通信部としてのＢＴ通信部３５と、第２の通信方式としてのＩＥＥＥ８０２．１１ｂ／ｇ／ｎの通信方式に従って無線通信を行う第２の通信部としてのＷＬＡＮ通信部３６と、ＢＴ通信部３５によりＢＴ通信が行われている際にＷＬＡＮ通信の開始要求があると、ＢＴ通信部３５により行われている無線通信処理が音楽・映像データ転送用プロトコルによる処理である場合には、ＷＬＡＮ通信の開始要求を拒否してＢＴ通信部３５による無線通信を継続させるよう、ＢＴ通信部３５およびＷＬＡＮ通信部３６による無線通信を制御する主制御部３７と、を備える。【選択図】  図２
2011049700.tif 000002
【特許請求の範囲】
【請求項１】
第１の通信方式に従って無線通信を行う第１の通信部と、
第２の通信方式に従って無線通信を行う第２の通信部と、
前記第１の通信部により無線通信が行われている際に前記第２の通信方式による無線通信の開始要求があると、前記第１の通信部により行われている無線通信処理が所定の処理である場合には、前記第２の通信方式による無線通信の開始要求を拒否して前記第１の通信部による無線通信を継続させる一方、前記第１の通信部により行われている無線通信処理が前記所定の処理ではない場合には、前記第１の通信部よりも前記第２の通信部による無線通信を優先的に行わせるよう、第１の通信部および前記第２の通信部による無線通信を制御する主制御部と、
を備えたことを特徴とする携帯端末装置。
【請求項２】
第１の通信方式に従って無線通信を行う第１の通信部と、
第２の通信方式に従って無線通信を行う第２の通信部と、
前記第１の通信部により無線通信が行われている際に前記第２の通信方式による無線通信の開始要求があると、前記第１の通信部による無線通信が所定の速度以上の速度で行われている場合には、前記第１の通信部よりも前記第２の通信部による無線通信を優先的に行わせるよう、第１の通信部および前記第２の通信部による無線通信を制御する主制御部と、
を備えたことを特徴とする携帯端末装置。
【請求項３】
前記主制御部は、
前記第１の通信部による無線通信が所定の速度以上の速度で行われているか否かを判定する速度判定部と、
前記第１の通信部により行われている無線通信処理が所定の処理であるか否かを判定する通信内容判定部と、
前記第１の通信部により無線通信が行われている際に前記第２の通信方式による無線通信の開始要求があると、前記速度判定部によって前記第１の通信部による無線通信が前記所定の速度より低い速度で行われていると判定され且つ前記通信内容判定部によって前記第１の通信部により行われている無線通信処理が前記所定の処理であると判定された場合には、前記第２の通信方式による無線通信の開始要求を拒否して前記第１の通信部による無線通信を継続させる一方、前記速度判定部により前記第１の通信部による無線通信が前記所定の速度以上の速度で行われていると判定され、または、前記通信内容判定部により前記第１の通信部により行われている無線通信処理が前記所定の処理ではないと判定された場合には、前記第１の通信部よりも前記第２の通信部による無線通信を優先的に行わせるよう、前記第１の通信部および前記第２の通信部による無線通信を制御する通信制御部と、
を有する、
請求項１または２に記載の携帯端末装置。
【請求項４】
前記第１の通信部および前記第２の通信部により択一的に利用される無線通信用アンテナと、
一端を前記無線通信用アンテナと接続され、他端を前記第１の通信部および前記第２の通信部のいずれか一方と接続されることにより、前記無線通信用アンテナと前記第１の通信部との接続および前記無線通信用アンテナと前記第２の通信部との接続のいずれか一方の接続を実現する切替部と、
前記切替部を制御することにより、前記無線通信用アンテナの他端を前記第１の通信部および前記第２の通信部のいずれか一方と接続する切替制御部と、
をさらに有し、
前記通信制御部は、
前記切替制御部を介して前記切替部を制御して前記無線通信用アンテナの接続先を制御することにより前記第１の通信部および前記第２の通信部による無線通信を制御する、
請求項１ないし３のいずれか１項に記載の携帯端末装置。
【請求項５】
第１の通信方式に従って無線通信を行う第１の通信部と、第２の通信方式に従って無線通信を行う第２の通信部と、前記第１の通信部および前記第２の通信部による無線通信を制御する主制御部と、を有する携帯端末装置の通信制御方法であって、
前記第１の通信部が無線通信している際に前記第２の通信方式による無線通信の開始要求を受け付けるステップと、
前記第１の通信部により行われている無線通信処理が所定の処理であると、前記第２の通信方式による無線通信の開始要求を拒否して前記第１の通信部による無線通信を継続させるステップと、
前記第１の通信部により行われている無線通信処理が前記所定の処理ではないと、前記第１の通信部よりも前記第２の通信部による無線通信を優先的に行わせるステップと、
を有することを特徴とする通信制御方法。
【請求項６】
第１の通信方式に従って無線通信を行う第１の通信部と、第２の通信方式に従って無線通信を行う第２の通信部と、前記第１の通信部および前記第２の通信部による無線通信を制御する主制御部と、を有する携帯端末装置の通信制御方法であって、
前記第１の通信部が無線通信している際に前記第２の通信方式による無線通信の開始要求を受け付けるステップと、
前記第１の通信部による無線通信が所定の速度以上の速度で行われていると、前記第１の通信部よりも前記第２の通信部による無線通信を優先的に行わせるステップと、
を有することを特徴とする通信制御方法。
【請求項７】
前記第１の通信部による無線通信が所定の速度以上の速度で行われているか否かを判定するステップと、
前記第１の通信部により行われている無線通信処理が所定の処理であるか否かを判定するステップと、
前記第１の通信部が無線通信している際に前記第２の通信部方式による無線通信の開始要求を受け付けるステップと、
前記第１の通信部による無線通信が前記所定の速度より低い速度で行われていると判定され且つ前記第１の通信部により行われている無線通信処理が前記所定の処理であると判定された場合には、前記第２の通信方式による無線通信の開始要求を拒否して前記第１の通信部による無線通信を継続させるステップと、
前記第１の通信部による無線通信が前記所定の速度以上の速度で行われていると判定され、または、前記第１の通信部により行われている無線通信処理が前記所定の処理ではないと判定された場合には、前記第１の通信部よりも前記第２の通信部による無線通信を優先的に行わせるステップと、
をさらに有する、
請求項５または６に記載の通信制御方法。
【発明の詳細な説明】
【技術分野】
【０００１】
本発明は、複数の無線通信方式に従って無線通信を行う携帯端末装置および通信制御方法に関する。
【背景技術】
【０００２】
最近、携帯電話機やノートブック型パーソナルコンピュータなどの携帯端末装置には、複数の無線通信方式に従って無線通信を行うことができるものが増えてきている。従来、この種の複数の無線通信方式による無線通信を行う技術に、特開２００３−８７２６９号公報（特許文献１）に開示された技術がある。
【０００３】
特許文献１に開示された携帯型情報機器は、第１の通信方式に従って無線通信を行う第１の無線部と、第２の通信方式に従って無線通信を行う第２の無線部と、第１の無線部と第２の無線部のいずれかを選択可能とする選択手段と、選択手段により一方の無線部が選択された場合に他方の無線部を介した無線通信を使用不可状態後に選択された無線部を介した無線通信を使用可能状態とする制御部と、を備える。
【０００４】
この携帯型情報機器は、第１の無線部および第２の無線部を択一的に使用することにより、第１の通信方式と第２の通信方式とで利用される周波数帯が近い場合でも、互いの無線通信信号が干渉する弊害を未然に防ぐことができるようになっている。
【先行技術文献】
【特許文献】
【０００５】
【特許文献１】特開２００３−８７２６９号公報
【発明の概要】
【発明が解決しようとする課題】
【０００６】
しかし、従来の技術では、複数の無線部を切り替える際に、現在行われている無線通信の内容が考慮されていない。たとえば特許文献１に開示された携帯型情報機器は、一方の通信方式による無線通信の開始要求が生じると、他方の通信方式に従って現在行われている無線通信を強制的に中断してしまう。このため、従来の技術では、一方の通信方式による無線通信の開始要求が生じた場合、たとえ連続性を要する無線通信処理が行われていても、この処理が強制的に中断されてしまう。したがって、一方の通信方式による無線通信の開始要求が生じた場合、従来の技術を適用した携帯端末装置では、送受信中のデータが失われてしまったり、中断されたデータの送受信を一から再度行う必要が生じたりするなど、ユーザの利便性が大きく損なわれてしまう場合がある。
【０００７】
本発明は、上述した事情を考慮してなされたもので、現在の無線通信の内容に応じて複数の無線通信の通信方式を切り替えることができる携帯端末装置および通信制御方法を提供することを目的とする。
【課題を解決するための手段】
【０００８】
本発明に係る携帯端末装置は、上述した課題を解決するために、第１の通信方式に従って無線通信を行う第１の通信部と、第２の通信方式に従って無線通信を行う第２の通信部と、前記第１の通信部により無線通信が行われている際に前記第２の通信方式による無線通信の開始要求があると、前記第１の通信部により行われている無線通信処理が所定の処理である場合には、前記第２の通信方式による無線通信の開始要求を拒否して前記第１の通信部による無線通信を継続させる一方、前記第１の通信部により行われている無線通信処理が前記所定の処理ではない場合には、前記第１の通信部よりも前記第２の通信部による無線通信を優先的に行わせるよう、第１の通信部および前記第２の通信部による無線通信を制御する主制御部と、を備えたことを特徴とするものである。
【０００９】
また、本発明に係る携帯端末装置は、上述した課題を解決するために、第１の通信方式に従って無線通信を行う第１の通信部と、第２の通信方式に従って無線通信を行う第２の通信部と、前記第１の通信部により無線通信が行われている際に前記第２の通信方式による無線通信の開始要求があると、前記第１の通信部による無線通信が所定の速度以上の速度で行われている場合には、前記第１の通信部よりも前記第２の通信部による無線通信を優先的に行わせるよう、第１の通信部および前記第２の通信部による無線通信を制御する主制御部と、を備えたことを特徴とするものである。
【００１０】
一方、本発明に係る通信制御方法は、上述した課題を解決するために、第１の通信方式に従って無線通信を行う第１の通信部と、第２の通信方式に従って無線通信を行う第２の通信部と、前記第１の通信部および前記第２の通信部による無線通信を制御する主制御部と、を有する携帯端末装置の通信制御方法であって、前記第１の通信部が無線通信している際に前記第２の通信方式による無線通信の開始要求を受け付けるステップと、前記第１の通信部により行われている無線通信処理が所定の処理であると、前記第２の通信方式による無線通信の開始要求を拒否して前記第１の通信部による無線通信を継続させるステップと、前記第１の通信部により行われている無線通信処理が前記所定の処理ではないと、前記第１の通信部よりも前記第２の通信部による無線通信を優先的に行わせるステップと、を有することを特徴とする方法である。
【００１１】
また、本発明に係る通信制御方法は、上述した課題を解決するために、第１の通信方式に従って無線通信を行う第１の通信部と、第２の通信方式に従って無線通信を行う第２の通信部と、前記第１の通信部および前記第２の通信部による無線通信を制御する主制御部と、を有する携帯端末装置の通信制御方法であって、前記第１の通信部が無線通信している際に前記第２の通信方式による無線通信の開始要求を受け付けるステップと、前記第１の通信部による無線通信が所定の速度以上の速度で行われていると、前記第１の通信部よりも前記第２の通信部による無線通信を優先的に行わせるステップと、を有することを特徴とする方法である。
【発明の効果】
【００１２】
本発明に係る携帯端末装置および通信制御方法によれば、現在の無線通信の内容に応じて複数の無線通信の通信方式を切り替えることができる。
【図面の簡単な説明】
【００１３】
【図１】本発明に係る携帯端末装置の一実施形態を示す概略的な全体構成図。
【図２】携帯電話機の内部構成例を概略的に示すブロック図。
【図３】主制御部のＣＰＵによる機能実現部の構成例を示す概略的なブロック図。
【図４】従来の技術における、ＢＴ通信の最中にＷＬＡＮ通信の開始要求があった場合の無線通信用アンテナの使用状況の一例について説明するための図。
【図５】本実施形態に係る携帯端末装置における、ＢＴ通信の最中にＷＬＡＮ通信の開始要求があった場合の無線通信用アンテナの使用状況の一例について説明するための図。
【図６】本実施形態に係る携帯端末装置における、ＢＴ通信の最中にＷＬＡＮ通信の開始要求があった場合の無線通信用アンテナの使用状況の他の例について説明するための図。
【図７】図１に示す携帯電話機の主制御部により、現在の無線通信の内容に応じて複数の無線通信の通信方式を切り替える際の手順を示すフローチャート。
【発明を実施するための形態】
【００１４】
本発明に係る携帯端末装置および通信制御方法の実施の形態について、添付図面を参照して説明する。
【００１５】
図１は、本発明に係る携帯端末装置の一実施形態を示す概略的な全体構成図である。なお、本発明は、複数の無線通信方式に従って無線通信を行う種々の携帯端末装置に適用することができる。本実施形態では、本発明に係る携帯端末装置として、複数の無線通信方式に従って無線通信を行う携帯電話機１０を用いる場合の一例について示す。
【００１６】
携帯電話機１０は、ＩＥＥＥ８０２．１１シリーズ（ＩＥＥＥ８０２．１１ａ／ｂ／ｇ／ｊ／ｎなど）の各方式を利用した無線ＬＡＮ（Wireless Local Area Network、以下ＷＬＡＮという）を介した無線通信を行うことができるほか、ＢＬＵＥＴＯＯＴＨ（登録商標、以下ＢＴという）規格などの近距離無線通信規格に準拠した通信方式による無線通信を行うことができるものとする。
【００１７】
以下の説明では、携帯電話機１０が、少なくとも、第１の通信方式としてのＢＴ規格に準拠した２．４ＧＨｚ帯（ＩＳＭ帯）の通信方式による無線通信と、第２の通信方式としての２．４ＧＨｚ帯（ＩＳＭ帯）のＩＥＥＥ８０２．１１ｂ／ｇ／ｎの通信方式によるＷＬＡＮを介した無線通信と、を行うことができる場合の一例について説明する。
【００１８】
携帯電話機１０は、図１に示すように、第１の通信方式としてのＢＴ規格に準拠した通信方式に従ってヘッドセット１１と無線通信（以下、ＢＴ通信という）によりデータの送受信を行う。また、携帯電話機１０は、第２の通信方式としてのＩＥＥＥ８０２．１１ｂ／ｇ／ｎの通信方式に従ってアクセスポイント（以下、ＡＰという）１２と無線通信（以下、ＷＬＡＮ通信という）によりデータの送受信を行う。ＡＰ１２は、有線または無線によりインターネット網１０１に接続されている。
【００１９】
携帯電話機１０は、第１のユニット２１、第２のユニット２２および第２のユニット２２に対し第１のユニット２１を開閉自在に連結する連結部２３を有する。
【００２０】
図１に示すように、第２のユニット２２は、第１のユニット２１に対して、開閉軸を中心として開閉自在となるように、連結部２３（ヒンジ）を介して連結される。第２の筐体２２が開閉軸を中心として回転することにより、携帯電話機１０は、開いている状態（図１参照）と閉じた状態とで位置決めすることができる。
【００２１】
第１のユニット２１は、薄い箱形の筐体を有し、この筐体の上面の表面上には、入力部２４およびマイクロフォン２５が設けられる。第２のユニット２２は、薄い箱形の筐体を有し、この筐体上面の表面上には、表示部２６およびレシーバ２７が設けられる。
【００２２】
入力部２４は、たとえばテンキー、タッチパネルなどの一般的な入力装置により構成され、ユーザの入力操作に対応した信号を出力する。なお、入力部２４の一部を回転入力部により構成してもよい。回転入力部は、回転操作に応じた信号を出力する入力装置であり、たとえば磁気式ロータリーエンコーダなどにより構成される。この回転入力部は、たとえば回転リングを介してユーザにより操作され、所定の回転量だけ回転するごとに、正逆の回転方向に応じて回転信号を出力する。
【００２３】
マイクロフォン２５は、ユーザによって入力された音声をディジタル音声信号に変換する。
【００２４】
表示部２６は、たとえば液晶ディスプレイやＯＬＥＤ（Organic Light Emitting Device）ディスプレイなどの一般的な表示出力装置により構成され、表示部２６の背景画像（壁紙）、壁紙に重畳表示される電池残量や電波強度を概略的に示す画像などの各種アイコンや、着信時に表示される画像および映像などを表示する。
【００２５】
レシーバ２７は、受話音声をはじめとした各種の情報に対応した音声を出力する。
【００２６】
図２は、携帯電話機１０の内部構成例を概略的に示すブロック図である。
【００２７】
図２に示すように、携帯電話機１０は、さらに移動体通信用アンテナ３１、移動体通信部３２、無線通信用アンテナ３３、切替部３４、第１の通信部としてのＢＴ通信部３５、第２の通信部としてのＷＬＡＮ通信部３６および主制御部３７を有する。
【００２８】
移動体通信部３２は、主制御部３７に制御されて、移動体通信用アンテナ３１を介して、移動体通信網１０２を介した音声およびデータの送受信を行う。この移動体通信部３２とＢＴ通信部３５とは協働することが可能であり、この場合、ユーザは、ヘッドセット１１のヘッドフォンおよびマイクを用いて移動体通信網１０２を介した音声通話を行うことができる。
【００２９】
無線通信用アンテナ３３は、切替部３４を介してＢＴ通信部３５およびＷＬＡＮ通信部３６のいずれか一方と択一的に接続される。この無線通信用アンテナ３３は、２．４ＧＨｚ帯の無線電波に適した構成を有する。
【００３０】
切替部３４は、一端をアンテナと接続され、他端をＢＴ通信部３５およびＷＬＡＮ通信部３６のいずれか一方と接続される。切替部３４の他端の接続先は、ＷＬＡＮ通信部３６や主制御部３７により制御される。
【００３１】
第１の通信部としてのＢＴ通信部３５は、主制御部３７により制御されて、少なくともヘッドセット１１とＢＴ規格に準拠した通信方式（２．４ＧＨｚ帯）に従ってＢＴ通信による音声データの送受信を行う。たとえば、ＢＴ通信部３５は、携帯電話機１０が保持する音楽データをＢＴ通信によりヘッドセット１１に対して配信することができる。本実施形態に係るＢＴ通信部３５は、ＥＤＲ（Enhanced Data Rate）をサポートするものである。ＢＴ通信部３５は、ヘッドセット１１などのＢＴ通信を行う対象機器とのペアリング時に、ＥＤＲによる通信が可能であるか否かについての情報を含むデータを取得して主制御部３７に与える。主制御部３７は、この情報をＲＡＭの所要のワークエリアに記憶させておく。
【００３２】
第２の通信部としてのＷＬＡＮ通信部３６は、主制御部３７により制御されて、少なくともＡＰ１２とＩＥＥＥ８０２．１１ｂ／ｇ／ｎの通信方式（２．４ＧＨｚ帯）に従ってＷＬＡＮ通信によるデータの送受信を行う。
【００３３】
ＢＴ通信部３５およびＷＬＡＮ通信部３６は、ＣＰＵ、ＲＡＭなどの記憶媒体などを有するワンチップマイコンにより構成することができる。なお、ＢＴ通信部３５およびＷＬＡＮ通信部３６は、互いの通信要求信号や通信ステータスなどの情報を送受信可能に構成されてもよい。この場合、ＢＴ通信部３５およびＷＬＡＮ通信部３６は、通信方式の切替に対して主制御部３７の指示を待たず迅速にデータのバッファリングによる退避などの適切かつ柔軟な対応をとることが可能となる。
【００３４】
主制御部３７は、ＣＰＵ、ＲＡＭおよびＲＯＭをはじめとする記憶媒体などにより構成され、この記憶媒体に記憶されたプログラムに従って、携帯電話機１０の動作を制御する。
【００３５】
主制御部３７のＣＰＵは、ＲＯＭをはじめとする記憶媒体に記憶された通信制御プログラムおよびこのプログラムの実行のために必要なデータをＲＡＭへロードし、このプログラムに従って、現在の無線通信の内容に応じて複数の無線通信の通信方式を切り替える処理を実行する。
【００３６】
主制御部３７のＲＡＭは、主制御部３７のＣＰＵが実行するプログラムおよびデータを一時的に格納するワークエリアを提供する。
【００３７】
主制御部３７のＲＯＭをはじめとする記憶媒体は、携帯電話機１０の起動プログラム、通信制御プログラム、ＢＴ通信用プログラム、ＷＬＡＮ通信用プログラムや、これらのプログラムを実行するために必要な各種データを記憶する。
【００３８】
なお、ＲＯＭをはじめとする記憶媒体は、磁気的もしくは光学的記録媒体や半導体メモリやや図示しないカードスロットに装着されたＵＩＭ（User Identity Module）カードなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００３９】
ここで電子ネットワークとは、電気通信技術を利用した情報通信網全般を意味し、有線／無線ＬＡＮやインターネット網１０１のほか、ＢＴ通信により構築された通信網、移動体通信回線網１０２を含む電話通信回線網、光ファイバ通信ネットワーク、ケーブル通信ネットワークおよび衛星通信ネットワークなどを含む。
【００４０】
図３は、主制御部３７のＣＰＵによる機能実現部の構成例を示す概略的なブロック図である。なお、この機能実現部は、ＣＰＵを用いることなく回路などのハードウエアロジックによって構成してもよい。
【００４１】
主制御部３７のＣＰＵは、ＢＴ通信用プログラムおよびＷＬＡＮ通信用プログラムにより、ＢＴ通信用制御部４１およびＷＬＡＮ通信用制御部４２として機能する。また、主制御部３７のＣＰＵは、通信制御プログラムによって、通信要求判定部４３、速度判定部４４、通信内容判定部４５、切替制御部４６および通信制御部４７として機能する。この各部４１〜４７は、ＲＡＭの所要のワークエリアを、データの一時的な格納場所として利用する。
【００４２】
ＢＴ通信用プログラムおよびＷＬＡＮ通信用プログラムは、主制御部３７とＢＴ通信部３５および主制御部３７とＷＬＡＮ通信部３６を橋渡しするミドルウェアである。
【００４３】
ＢＴ通信用制御部４１は、通信制御部４７により制御されてＢＴ通信部３５を制御してＢＴ通信を実現する。たとえば、ＢＴ通信用制御部４１は、ヘッドセット１１などのＢＴ通信を行う対象機器とのペアリング時に、ＥＤＲによる通信が可能であるか否かについての情報を含むデータをＢＴ通信部３５から取得し、この情報を主制御部３７のＲＡＭの所要のワークエリアに記憶させる。
【００４４】
また、ＢＴ通信用制御部４１は、ＢＴ通信を開始する際に、このＢＴ通信のプロファイルの情報をＲＡＭの所要のワークエリアに記憶させる。さらに、ＢＴ通信用制御部４１は、ＢＴ通信を終了する際に、主制御部３７のＲＡＭの所要のワークエリアに記憶されたプロファイルの情報を削除する。この結果、主制御部３７は、ＢＴ通信が行われている際には、ＲＡＭの所要のワークエリアを検索することにより現在のＢＴ通信のプロファイルの情報を確認することができる。たとえば、ＢＴ通信部３５によりヘッドセット１１に対して音楽データがＡ２ＤＰ（Advanced Audio Distribution Profile）にて配信されている場合、主制御部３７のＲＡＭの所要のワークエリアには、現在Ａ２ＤＰにてＢＴ通信が行われている旨の情報が保持される。
【００４５】
ＷＬＡＮ通信用制御部４２は、通信制御部４７により制御されてＷＬＡＮ通信部３６を制御してＷＬＡＮ通信を実現する。たとえば、ＷＬＡＮ通信用制御部４２は、アクセスポイントからのビーコン受信に失敗すると、通信制御部４７に対してＷＬＡＮ通信によるアクセスポイントの自動検索を開始させるための要求信号を出力する。
【００４６】
通信要求判定部４３は、ＢＴ通信部３５によりＢＴ通信が行われている際に、ＷＬＡＮ通信用制御部４２からＷＬＡＮ通信の開始要求があったか否かを判定する。ＷＬＡＮ通信の開始要求としては、たとえば、ユーザ本人が携帯電話機１０を所持したまま移動するなどしてＷＬＡＮ通信によるＡＰ１２の自動検索を行う必要が生じた場合における、ＷＬＡＮ通信によるＡＰ１２の自動検索処理の開始要求などを挙げることができる。以下の説明では、「ＷＬＡＮ通信の開始要求」が「ＷＬＡＮ通信によるＡＰ１２の自動検索処理の開始要求」である場合の例について示す。
【００４７】
速度判定部４４は、ＢＴ通信部３５によるＢＴ通信が所定の速度以上の速度で行われているか否かを判定する。本実施形態では、速度判定部４４が、ＢＴ通信部３５がＢＴ通信を行う対象機器がＥＤＲ（Enhanced Data Rate）に対応しているか否かをもって、ＢＴ通信が所定の速度以上の速度で行われているか否かを判定する場合の例について説明する。
【００４８】
速度判定部４４は、主制御部３７のＲＡＭの所要のワークエリアに記憶されたＥＤＲによる通信の可否の情報にもとづいて、ＢＴ通信が所定の速度以上の速度で行われているか否かを判定することができる。なお、ＢＴ通信の通信速度をリアルタイムで計測する通信速度計測手段を設けた場合、速度判定部４４は、この計測手段の出力にもとづいて判定を行ってもよい。
【００４９】
通信内容判定部４５は、ＢＴ通信部３５により行われているＢＴ通信処理が所定の処理であるか否かを判定する。本実施形態では、通信内容判定部４５が、Ａ２ＤＰ、ＨＳＰ（HeadSet Profile）、ＨＦＰ（Hands-Free Profile）その他の音声・映像データ転送用プロファイルによってＢＴ通信が行われている場合に、ＢＴ通信部３５により行われているＢＴ通信処理が所定の処理であると判定する場合の例について説明する。音声・映像データ転送用プロファイルなどの、データ転送が時間的に連続して行われない場合に問題が生じてしまうデータを扱うプロファイルは、所定の処理とされるプロファイルは、を含むことが好ましい。
【００５０】
この通信内容判定部４５の判定基準となるプロファイルの情報は、主制御部３７のＲＯＭなどの記憶媒体にあらかじめ記憶させておいてもよいし、電子ネットワークを介してダウンロードされて記憶媒体内に記憶されるように構成してもよい。
【００５１】
切替制御部４６は、通信制御部４７に制御されてＢＴ通信部３５またはＷＬＡＮ通信部３６を介して切替部３４を制御して、切替部３４の他端をＢＴ通信部３５およびＷＬＡＮ通信部３６のいずれか一方と接続する。なお、この切替制御部４６の機能は、ＢＴ通信部３５またはＷＬＡＮ通信部３６に組み込まれてもよい。たとえばＷＬＡＮ通信部３６に切替制御部４６の機能が組み込まれる場合、切替部３４はＷＬＡＮ通信部３６により制御されてもよい。この場合、主制御部３７には切替制御部４６の機能を組み込まなくてもよい。
【００５２】
図４は、従来の技術における、ＢＴ通信の最中にＷＬＡＮ通信の開始要求があった場合の無線通信用アンテナ３３の使用状況の一例について説明するための図である。
【００５３】
ＷＬＡＮ通信を可能とする携帯電話機１０において、ＡＰ１２を検索する機能は重要な機能とされる。これは、接続可能なＡＰ１２が不明な状態では、そもそもＷＬＡＮ通信をすることができないためである。ここでは、携帯電話機１０について、ＷＬＡＮ通信によるＡＰ１２の自動検索処理が、ＢＴ通信処理よりも優先されるように設定した場合の例について記載している。
【００５４】
このため、図４に示すように、ユーザがヘッドセット１１を介してＢＴ通信により携帯電話機１０から転送される音楽データを楽しんでいる最中であっても、ＡＰ１２の自動検索処理の開始要求があると、切替制御部４６は、無線通信用アンテナ３３をＷＬＡＮ通信部３６に優先的に使用させるよう切替部３４を制御する。
【００５５】
この結果、ＢＴ通信による音楽データ転送が滞ってしまう場合が生じる。たしかに、ＷＬＡＮ通信によるＡＰ１２の自動検索処理は離散的に行われるため、自動検索開始から終了までの期間にもＢＴ通信部３５が無線通信用アンテナ３３を使用可能な時間もまた離散的に存在する。しかし、ヘッドセット１１がＥＤＲをサポートしない場合、このＢＴ通信部３５がＢＴ通信可能な各離散的な時間は、滑らかな音楽再生に必要なデータ転送時間よりも少ないことが多い。特に、ＢＴ通信可能な離散的な時間のそれぞれが、ＥＤＲでないＢＴ通信の１パケット分のデータを転送するために必要な時間よりも短い場合、ＢＴ通信を行うことはできない。したがって、ヘッドセット１１がＥＤＲをサポートしない場合、ユーザは、ヘッドセット１１を介して聴いている音楽の音とびを経験することになってしまう。
【００５６】
そこで、本実施形態に係る携帯端末装置は、この音とびを防ぐために、ユーザがヘッドセット１１を介してＥＤＲでないＢＴ通信により携帯電話機１０から転送される音楽データを楽しんでいる最中などにはＷＬＡＮ通信によるＡＰ１２の自動検索処理の開始要求を受け付けないようになっている。
【００５７】
図５は、本実施形態に係る携帯端末装置における、ＢＴ通信の最中にＷＬＡＮ通信の開始要求があった場合の無線通信用アンテナ３３の使用状況の一例について説明するための図である。
【００５８】
通信制御部４７は、通信要求判定部４３によりＢＴ通信部３５によりＢＴ通信が行われている際にＷＬＡＮ通信の開始要求があったと判定された場合、速度判定部４４によってＢＴ通信がＥＤＲで行われていないと判定されるとともに通信内容判定部４５によってＢＴ通信処理がＡ２ＤＰ等の所定のプロファイルで行われていると判定されると、ＷＬＡＮ通信の開始要求を拒否してＢＴ通信を継続させるよう、ＢＴ通信部３５、ＷＬＡＮ通信部３６および切替制御部４６を制御する。
【００５９】
このため、ユーザは、ユーザ本人が携帯電話機１０を保持したまま移動するなどしてＷＬＡＮ通信によるＡＰ１２の自動検索開始要求が発生した場合でも、音とびをほとんど感じることなく滑らかに再生される音楽を楽しむことができる。
【００６０】
なお、ＷＬＡＮ通信の開始要求を拒否してＢＴ通信部３５によるＢＴ通信を継続させる場合、通信制御部４７またはＷＬＡＮ通信部３６は、ＷＬＡＮ通信の開始要求があった旨の情報を主制御部３７またはＷＬＡＮ通信部３６のＲＡＭなどの記憶媒体に記憶しておくとよい。通信制御部４７は、この情報を、たとえば音楽再生が終了した際にＷＬＡＮ通信を速やかに実行（再開）するために利用することができる。
【００６１】
たとえば、ＢＴ通信処理がＡ２ＤＰ等の所定のプロファイルで行われていないと判定されると（ＢＴ通信用制御部４１により主制御部３７のＲＡＭの所要のワークエリアから所定のプロファイルでＢＴ通信を行っている旨の情報が削除されると）、通信制御部４７は、主制御部３７のＲＡＭの所要のワークエリアを検索する。そして、ＷＬＡＮ通信の開始要求があった旨の情報が記憶されていると、通信制御部４７は、ＷＬＡＮ通信を開始するようＷＬＡＮ通信用制御部４２に指示する。音楽再生が終了した際にＷＬＡＮ通信を速やかに実行するためには、通信制御部４７により一度ＷＬＡＮ通信の開始要求を拒否した後には、継続的または断続的に通信内容判定部４５に判定を行わせておくとよい。
【００６２】
図６は、本実施形態に係る携帯端末装置における、ＢＴ通信の最中にＷＬＡＮ通信の開始要求があった場合の無線通信用アンテナ３３の使用状況の他の例について説明するための図である。
【００６３】
図５に示す場合には、ＢＴ通信により音楽配信が行われている最中にＡＰ１２の自動検索開始要求が発生しても、ＢＴによる音楽配信が終了する（ＢＴ通信用制御部４１により主制御部３７のＲＡＭの所要のワークエリアから所定のプロファイルでＢＴ通信を行っている旨の情報が削除される）までは、携帯電話機１０はＡＰ１２を自動検索することができない。このため、直ちに手動または自動によりＡＰ１２の自動検索を行っても、音楽配信の終了後に実際にユーザがＷＬＡＮ通信を利用することができるまでには時間を要する。
【００６４】
一方、ＥＤＲによるＢＴ通信によれば、ＷＬＡＮ通信によるＡＰ１２の自動検索処理期間に存在する離散的な時間でも、滑らかな音楽再生に必要なデータ転送を行うことができる。そこで、通信制御部４７は、速度判定部４４によりＢＴ通信がＥＤＲで行われていると判定されると、ＢＴ通信よりもＷＬＡＮ通信を優先させるよう、ＢＴ通信部３５、ＷＬＡＮ通信部３６および切替制御部４６を制御する。なお、通信内容判定部４５によりＢＴ通信部３５により行われているＢＴ通信処理がＡ２ＤＰ等の所定のプロファイルで行われていないと判定された場合にも同様に、通信制御部４７はＢＴ通信よりもＷＬＡＮ通信を優先させる。
【００６５】
ここで、「ＢＴ通信よりもＷＬＡＮ通信を優先させる」とは、ＷＬＡＮ通信用制御部４２によるＷＬＡＮ通信要求があると、ＢＴ通信要求の有無に関わらず切替部３４の他端がＷＬＡＮ通信部３６に接続される一方、ＷＬＡＮ通信要求がないときかつＢＴ通信用制御部４１によるＢＴ通信要求があるときのみ切替部３４の他端がＢＴ通信部３５に接続されることをいうものとする。
【００６６】
なお、ＷＬＡＮ通信要求とＢＴ通信要求が重なった場合、「ＢＴ通信よりもＷＬＡＮ通信を優先させる」場合にはＢＴ通信要求は拒否されるが、通信制御部４７またはＢＴ通信部３５は、このＢＴ通信要求があった旨の情報を主制御部３７またはＢＴ通信部３５のＲＡＭなどの記憶媒体に記憶しておくとよい。通信制御部４７は、この情報を、たとえばＷＬＡＮ通信要求が終了したり一時的に中断されたりした際にＢＴ通信を速やかに実行（再開）するために利用することができる。つまり、ＷＬＡＮ通信によるＡＰ１２の自動検索処理期間に存在するＢＴ通信部３５がＢＴ通信可能な離散的な時間が、より有効にＢＴ通信に割り当てられる。
【００６７】
この結果、ＢＴ通信がＥＤＲで行われている場合には、ユーザ本人が移動するなどしてＷＬＡＮ通信によるＡＰ１２の自動検索開始要求が発生しても、ユーザは音とびをほとんど感じることなく滑らかに再生される音楽を楽しむことができ、携帯電話機１０は音楽再生中にＷＬＡＮ通信によるＡＰ１２の自動検索処理を実行し終了させることができる。
【００６８】
次に、本実施形態に係る携帯電話機１０の動作の一例について説明する。
【００６９】
図７は、図１に示す携帯電話機１０の主制御部３７により、現在の無線通信の内容に応じて複数の無線通信の通信方式を切り替える際の手順を示すフローチャートである。図７において、Ｓに数字を付した符号は、フローチャートの各ステップを示す。
【００７０】
この手順は、第１の通信部としてのＢＴ通信部３５によりＢＴ通信が開始されるとともに、このＢＴ通信のプロファイルの情報がＲＡＭの所要のワークエリアに記憶された時点でスタートとなる。なお、以下の説明では、携帯電話機１０がＢＴ通信部３５を介してＡ２ＤＰによりヘッドセット１１に対して音楽データを配信している場合の例について示す。
【００７１】
まず、ステップＳ１において、通信要求判定部４３は、第２の通信方式による無線通信の開始要求があったか否かを判定する。具体的には、通信要求判定部４３は、ＷＬＡＮ通信用制御部４２から、ＷＬＡＮ通信によるＡＰ１２の自動検索処理の開始要求があったか否かを判定する。自動検索処理の開始要求があった場合は、ステップＳ２に進む。一方、自動検索処理の開始要求が無い場合は、引き続きＷＬＡＮ通信によるＡＰ１２の自動検索処理の開始要求を監視する。
【００７２】
次に、ステップＳ２において、速度判定部４４は、第１の通信部３５が所定の速度以上の速度でデータ送受信しているか否かを判定する。具体的には、速度判定部４４は、ＢＴ通信がＥＤＲにより行われているか否かを判定する。ＢＴ通信がＥＤＲにより行われていない場合はステップＳ２に進む。一方、ＢＴ通信がＥＤＲにより行われている場合（図６参照）はステップＳ５に進む。
【００７３】
次に、ステップＳ３において、通信内容判定部４５は、第１の通信部３５により行われている無線通信処理が所定の処理であるか否かを判定する。具体的には、通信内容判定部４５は、ＲＡＭの所要のワークエリアを検索し、ＢＴ通信部３５によるＢＴ通信処理が、Ａ２ＤＰ、ＨＳＰ、ＨＦＰその他の音声・映像データ転送用プロファイルによって行われているか否かを判定する。ＢＴ通信処理がＡ２ＤＰ等の音声・映像データ転送用プロファイルで行われている場合（図５参照）は、ステップＳ４に進む。一方、音声・映像データ転送用プロファイルで行われていない場合は、ステップＳ５に進む。
【００７４】
次に、ステップＳ４において、通信制御部４７は、第２の通信方式による無線通信の開始要求を拒否して第１の通信部３５による無線通信を継続させ、一連の手順は終了となる。具体的には、通信制御部４７は、ＷＬＡＮ通信によるＡＰ１２の自動検索処理の開始要求を拒否してＢＴ通信を継続させるよう、ＢＴ通信部３５、ＷＬＡＮ通信部３６および切替制御部４６を制御し、一連の手順は終了となる。
【００７５】
他方、ステップＳ５において、通信制御部４７は、第１の通信部３５よりも第２の通信部３６による無線通信を優先的に行わせるよう、第１の通信部３５および第２の通信部３６による無線通信を制御し、一連の手順は終了となる。具体的には、通信制御部４７は、「ＢＴ通信よりもＷＬＡＮ通信を優先させる」よう、ＢＴ通信部３５、ＷＬＡＮ通信部３６および切替制御部４６を制御し、一連の手順は終了となる。
【００７６】
本実施形態に係る携帯電話機１０は、ＢＴ通信が行われている際にＷＬＡＮ通信の開始要求があっても、ＢＴ通信がＡ２ＤＰ等の音声・映像データ転送用プロファイルにより行われており、かつこのＢＴ通信がＥＤＲで行われていない場合には、ＷＬＡＮ通信の開始要求を拒否してＢＴ通信を継続させる。このため、ＢＴ通信によって音楽・映像データを滞りなく外部機器に転送することができる。したがって、本実施形態に係る携帯電話機１０によれば、ユーザ本人が移動するなどしてＷＬＡＮ通信によるＡＰ１２の自動検索開始要求が発生した場合でも、ユーザは、音とびを感じることなく滑らかに、携帯電話機１０から配信される音楽を聴くことができる。
【００７７】
また、本実施形態に係る携帯電話機１０は、ＢＴ通信がＥＤＲで行われている場合には、ＢＴ通信よりもＷＬＡＮ通信を優先させる。このため、ＷＬＡＮ通信によるＡＰ１２の自動検索開始要求が発生した場合に、ユーザは音とびをほとんど感じることなく滑らかに携帯電話機１０から配信される音楽を聴くことができ、携帯電話機１０はＢＴ通信による音楽再生中にＷＬＡＮ通信のＡＰ１２の自動検索処理を実行し終了させることができる。
【００７８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００７９】
たとえば、本発明は、本実施形態で説明した携帯電話機１０のほかにも、様々な携帯端末装置に適用可能であり、特に、ノートブック型パーソナルコンピュータ、ＰＤＡ（Personal Digital Assistant）、携帯型ゲーム機、携帯型音楽再生機、携帯型動画再生機などの携帯型の情報処理装置に適用することが可能である。
【００８０】
また、上記実施形態では切替部３４を介して１つの無線通信用アンテナ３３をＢＴ通信部３５およびＷＬＡＮ通信部３６とで共用する場合の例について示したが、ＢＴ通信部３５およびＷＬＡＮ通信部３６がそれぞれ専用のアンテナを有してもよい。ＢＴ通信部３５およびＷＬＡＮ通信部３６がそれぞれ専用のアンテナを有する場合でも、切替部３４を制御した手法を用いてＢＴ通信およびＷＬＡＮ通信のいずれか一方を択一的に実行するようにすれば、周波数干渉の問題を未然に防ぐことができるとともに上記実施形態と同様の作用効果を奏する。
【００８１】
なお、ＢＴ通信とＷＬＡＮ通信とを同時に行う場合には、周波数干渉の問題を未然に防ぐため、ＢＴ通信用制御部４１は適応型周波数ホッピングなどによりＷＬＡＮ通信で用いられるチャンネルを避けてＢＴ通信を行うべきであることに注意する。
【００８２】
また、ＷＬＡＮ通信の開始要求のうち、ユーザにより入力部２４を介して指示された要求（たとえばＡＰ１２検索の手動開始要求など）については、Ａ２ＤＰ等のＢＴ通信を中断して受け付けるようにしても構わない。この場合、ＢＴ通信による音楽再生に音とびが発生しても、ユーザにとって不意打ちにはならず、故障等の誤解を与えるおそれがないと考えられるためである。なお、この場合、自らの行為に起因してＢＴ通信が中断したことがユーザにとって明らかになるように、その旨の画像を表示部２６に表示するとよい。
【００８３】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００８４】
１０  携帯電話機
１１  ヘッドセット
１２  アクセスポイント（ＡＰ）
２１  第１のユニット
２２  第２のユニット
２３  連結部
２４  入力部
２５  マイクロフォン
２６  表示部
２７  レシーバ
３１  移動体通信用アンテナ
３２  移動体通信部
３３  無線通信用アンテナ
３４  切替部
３５  ＢＴ通信部（第１の通信部）
３６  ＷＬＡＮ通信部（第２の通信部）
３７  主制御部
４１  ＢＴ通信用制御部
４２  ＷＬＡＮ通信用制御部
４３  通信要求判定部
４４  速度判定部
４５  通信内容判定部
４６  切替制御部
４７  通信制御部
１０１  インターネット網
１０２  移動体通信網
【図１】
2011049700.tif 000003
【図２】
2011049700.tif 000004
【図３】
2011049700.tif 000005
【図４】
2011049700.tif 000006
【図５】
2011049700.tif 000007
【図６】
2011049700.tif 000008
【図７】
2011049700.tif 000009